(57)【要約】【課題】  靴を履いて歩行する時、踵から爪先までの重心移動の加重に沿って小粒球体が圧迫されるため、加重のかかっていない箇所に小粒球体が移動することで、舗装した道でも土の道、砂場を歩く感触が足裏全体に伝わる小粒球体を挿入した靴の中敷きを提供する。【解決手段】  伸縮性に優れた合成繊維生地で、靴底形状に合わせた袋を作り、当該袋の中に硬質で直径１ｍｍ〜５ｍｍの小粒球体をその袋の容量の４０％〜７０％挿入し、小粒球体が外部に漏れないように密閉した袋を縦の長さが５ｍｍ以上長く、そして、縦の長さに伴い横幅は比例したサイズで靴底形状に合わせて裁断したシートに接着したことを特徴とする小粒球体を挿入した靴の中敷き。【選択図】図１
2011161179.tif 000002
【特許請求の範囲】
【請求項１】
伸縮性に優れた合成繊維生地で、靴底形状に合わせた袋を作り、当該袋の中に硬質で直径１ｍｍ〜５ｍｍの小粒球体をその袋の容量の４０％〜７０％挿入し、小粒球体が外部に漏れないように密閉した袋を縦の長さが５ｍｍ以上長く、そして、縦の長さに伴い横幅は比例したサイズで靴底形状に合わせて裁断したシートに接着したことを特徴とする小粒球体を挿入した靴の中敷き。
【発明の詳細な説明】
【技術分野】
【０００１】  本発明は、靴を履いて歩行する時、踵から爪先までの重心移動の加重に沿って小粒球体が圧迫されるため、加重のかかっていない箇所に小粒球体が移動することで、舗装した道でも土の道、砂場を歩く感触が足裏全体に伝わる小粒球体を挿入した靴の中敷きに関するものである。
【背景技術】
【０００２】  従来、殆どの人は着脱できる靴の中敷きを使用せず靴を履いていた。しかし、少人数ではあるが高温多湿の季節及び足によく汗をかく体質、足がむれることを気にする人等は吸湿性、水虫予防、防臭、抗菌等に効果があるとされる靴の中敷きを使用していた。
【特許文献１】  特開２００２−３１５６０６号
【特許文献２】  特開２００４−２５４８６７号
【発明の概要】
【発明が解決しようとする課題】
【０００３】  従来及び先行技術では、次のような問題点があった。
歩行することで重心移動の加重に沿って、靴の中敷きの内部の物体が移動するようにできていなかったため、靴の中敷きの上面部が変則的な動きをしなかった。また、従来の靴の中敷きは履きやすく、歩きやすい形状に作っているため、足の指で砂、小石等をつかみ踏ん張って歩く感触が得られなかった。特に歩き始めた幼児の身体のバランス感覚を養うために、不安定な土、砂場の感触を体験することが大事であるが、土、砂場を歩く体験を得ることができなかった。そして、足裏及び爪先で転ばぬように身体のバランスを取ることはあまりなかった。踵から爪先までの重心移動がなめらかであるため、足裏のマッサージ効果に欠けていた。
それは舗装した道では土の道、砂場を歩く感触が足裏に伝わってこなかったからである。
本発明は、以上の問題点を解決するためになされたものである。
【課題を解決するための手段】
【０００４】  伸縮性に優れた合成繊維生地で、靴底形状に合わせた袋を作り、当該袋の中に硬質で直径１ｍｍ〜５ｍｍの小粒球体をその袋の容量の４０％〜７０％挿入し、小粒球体が外部に漏れないように密閉した袋を縦の長さが５ｍｍ以上長く、そして、縦の長さに伴い横幅は比例したサイズで靴底形状に合わせて裁断したシートに接着した。以上を特徴とする小粒球体を挿入した靴の中敷きである。
【発明の効果】
【０００５】  本発明は、袋の中に硬質の小粒球体を無数挿入することによって、靴底の内部に砂場の状態を作り、歩行することで小粒球体を加重しても、各々の小粒球体は点で接しているため、摩擦は小さく、その圧力は多方向に分散し、小粒球体は容易に移動ができるので、砂場を歩く感触が足裏に伝わる。例えば、踵部に圧をかけると爪先方向に小粒球体は移動し、足裏全体に圧をかけると、普段履いている靴のサイズより一回り以上大きい靴を履くためにシートのサイズは履く靴のサイズに合わすが接着している袋のサイズは従来の各自のサイズであるため、シートの縁には余裕があり縦横及び斜め方向に伸縮性が優れた生地を使用しているため、小粒球体は圧がかかっていないシートの縁の部分に移動するために押されて袋は伸びる。そして、爪先部に圧をかけると踵部の方向に移動する。その時爪先部に残っている小粒球体を足の指でつかみ踏ん張って歩く感触が得られる。
足が地面から離れた時は、伸びていた袋が縮むため小粒球体は中程へ戻り、歩行することでこの作用が繰り返えされる。
歩く度に小粒球体が移動し、靴の中敷きの上面部が変則的な動きをすることによって、舗装した道でも土の道、砂場を歩く感触が足裏全体に伝わって、マッサージ効果があり、血流もよくなり足のむくみ予防にも役立ち、足のつぼを刺激することで身体によい効果が得られ、歩くために必要な各筋肉が鍛えられ高齢者の歩行障害の予防にも役立ち、そして、歩き始めた幼児にとっては、転ばぬように足裏及び爪先で踏ん張ることができ、歩くための筋力、バランス感覚を養うことができる。
【図面の簡単な説明】
【０００６】
【図１】本発明の一部切開した斜視図
【発明を実施するための形態】
【０００７】  以下、本発明の実施の形態について説明する。
（イ）薄くて丈夫で縦横及び斜め方向に伸縮性が優れた合成繊維生地で靴底形状の袋（        １）を作る。
袋（１）の素材はアクリル３９％、ポリエステル３３％、レーヨン２０％、ポリ        ウレタン８％の生地が最適である。もしくは、薄くて丈夫で伸縮性に優れた生地        であれば、その効果が発揮できる。
（ロ）袋（１）に無数の硬質の小粒球体（２）を挿入し、小粒球体（２）が外部に漏れ        ないように密閉する。
小粒球体（２）は硬質なプラスチックが最適である。もしくは、セラミックもそ        の効果を発揮できる。
小粒球体（２）の直径は１ｍｍ〜５ｍｍが最適である。もしくは、１ｍｍ未満、        及び、５ｍｍをこえ７ｍｍ以下の小粒球体（２）も効果が発揮できる。
粉状だと移動せず、７ｍｍをこえると足裏に違和感を生じる。
小粒球体（２）の量は袋（１）の容量の４０％〜７０％が最適である。もしくは        、３０％〜４０％未満、及び７０％をこえ８０％以下であれば効果が発揮できる        。３０％未満であれば砂場を歩く感触が得られず、８０％をこえると靴の中が窮        屈感を生じる。
袋（１）の中には、同一の大きさの小粒球体（２）のみを挿入することが最適で        ある。
大きさが異なれば加重した時、摩擦が大きくなりスムーズに小粒球体（２）が移        動しなくなる。
（ハ）丈夫で柔軟性がある薄めの材料を袋（１）の大きさより、縦の長さが５ｍｍ以上        長く、そして、縦の長さに伴い横幅は比例したサイズで靴底形状に合わせてシー        ト（３）を裁断する。それは、従来の靴のサイズが５ｍｍ間隔になっているから        である。
シート（３）の材料はフェルト、ＥＶＡ発泡体、ポリウレタン布貼り等が最適で        ある。もしくは、丈夫で柔軟性があり薄めのものであれば効果が発揮できる。
（ニ）袋（１）をシート（３）に接着して小粒球体を挿入した靴の中敷き（４）に仕上        げる。
接着方法は接着剤を使用することが最適である。もしくは、面ファスナーを使用        したり、縫い付けても効果が発揮できる。
乳幼児から大人に対応できるサイズが必要である。
本発明は以上の構成からなるもので、これを使用する時は普段履いているサイズより一回り以上大きい靴に合ったサイズの小粒球体を挿入した靴の中敷き（４）を入れて履く。
【符号の説明】
【０００８】      １    袋
２    小粒球体
３    シート
４    小粒球体を挿入した靴の中敷き
【図１】
2011161179.tif 000003